(57)【要約】【課題】多数の発光ダイオードを光源にして、コンパクトで光利用率の高い光源装置と、それを用いた高効率な投写型表示装置を提供する。【解決手段】Ｒ、Ｇ、Ｂの色光を発する発光ダイオード１０１、１０２、１０３をその光軸が偏光ビームスプリッタ１１０の偏光分離面１１１に対してコの字型になるように配置し、おのおのの発光ダイオードと偏光ビームスプリッタ１１０の間に、１／４波長板１０４、１０５、１０６とダイクロイックミラー１０７、１０８、１０９を配置した。これによって各発光ダイオードから射出するランダムな偏光成分の光束のほとんどが、Ｐ偏光光とＳ偏光光として光源装置１００から射出される。【選択図】図１
2005195780.tif 000002
【特許請求の範囲】
【請求項１】
第１の色光を発する第１の発光ダイオードと、第２の色光を発する第２の発光ダイオードと、第３の色光を発する第３の発光ダイオードと、前記第１から第３の色光を合成するための色合成光学系を備えた光源装置において、
前記色合成光学系は、１／４波長板を備えた、異なる波長選択性を有する３種のダイクロイックミラーと、偏光ビームスプリッタとから構成され、
３種の前記ダイクロイックミラーが前記偏光ビームスプリッタの偏光分離面に対して４５度の角度を成す位置にコ型に配置され、
前記第１からの第３の発光ダイオードは前記ダイクロイックミラーのそれぞれに近接して設けられ、前記第１からの第３の発光ダイオードからの光束が一つの光路に合成されて射出されることを特徴とする光源装置。
【請求項２】
前記第１の色光がＲ色（赤色）、前記第２の色光がＧ色（緑色）、前記第３の色光がＢ色（青色）である、請求項１に記載の光源装置。
【請求項３】
前記１／４波長板は偏光ビームスプリッタに近い側に配置されている、請求項１に記載の光源装置。
【請求項４】
前記第１の発光ダイオードと前記偏光ビームスプリッタとの間に配置される前記ダイクロイックミラーの特性は、前記第１の発光ダイオードの色光を透過し、前記第２および前記第３の発光ダイオードの色光を反射させる特性を有し、前記第２の発光ダイオードと前記偏光ビームスプリッタとの間に配置される前記ダイクロイックミラーの特性は、前記第２の発光ダイオードの色光を透過し、前記第１および前記第３の発光ダイオードの色光を反射させる特性を有し、前記第３の発光ダイオードと前記偏光ビームスプリッタとの間に配置される前記ダイクロイックミラーの特性は、前記第３の発光ダイオードの色光を透過し、前記第１および前記第２の発光ダイオードの色光を反射させる特性を有する、請求項１に記載の光源装置。
【請求項５】
前記偏光ビームスプリッタは、斜辺に誘電多層膜が形成された２個の光学ガラスからなる直角プリズムを張りあわせた構造の偏光ビームスプリッタである、請求項１から請求項４のいずれか１項に記載の光源装置。
【請求項６】
前記偏光ビームスプリッタは、平板状の偏光ビームスプリッタである、請求項１から請求項４のいずれか１項に記載の光源装置。
【請求項７】
前記１／４波長板と前記ダイクロイックミラーとは独立して設けられている、請求項１から請求項６のいずれか１項に記載の光源装置。
【請求項８】
前記１／４波長板と前記ダイクロイックミラーとは一体に形成されている、請求項１から請求項６のいずれか１項に記載の光源装置。
【請求項９】
請求項１から請求項８のいずれか１項に記載の光源装置を備え、該光源装置からの光束を単一のＤＭＤ表示パネルに照射し、該ＤＭＤ表示パネルで変調される画像を投写レンズにより拡大表示する、投写型表示装置。
【発明の詳細な説明】
【技術分野】
【０００１】
本発明は投写型表示装置の光源装置と、該光源装置を備え表示素子にＤＭＤパネルを使用した単板型の投写型表示装置に関する。
【背景技術】
【０００２】
高輝度白色光源からの光束をＲ（赤色）、Ｇ（緑色）、Ｂ（青色）の波長域に分離して、それらの色光をそれぞれに対応するＲ、Ｇ、Ｂ３枚の液晶パネルに照射し、液晶パネルで変調されたＲ、Ｇ、Ｂの各々の画像をダイクロイックプリズムで合成し、投写レンズを用いて拡大投写する投写型液晶表示装置が実用化されている。また、表示素子に液晶パネルでなくＤＭＤ（ディジタルミラーデバイス）を１個使用し、高輝度白色光源からの光束を、Ｒ、Ｇ、Ｂのフィルタが形成された円盤状のディスクを回転させることにより、Ｒ→Ｇ→Ｂの色光を繰り返し発生させ、この光をＤＭＤに照射してＤＭＤの変調を行い、色順次方式でカラー画像を拡大投写する単板型の投写型表示装置も実用化されている。いずれの開示技術も、放電ランプの高輝度白色光源を用いるという共通点がある。
【０００３】
まだ実用化されていないが、放電ランプ以外の光源を使用する投写型表示装置の提案もある。例えば発光ダイオードを光源に利用するというものである。発光ダイオードは安価、長寿命、低消費電力といった、従来の高輝度白色光を発する放電ランプには持ち合わせていない特徴を有しており、投写型表示装置の光源として有望である。
【０００４】
特許文献１を参照すると、Ｒ、Ｇ、Ｂの３種の色光を発する発光ダイオード群からなる平面的に配置された光源アレイを３個用意し、これらの光源アレイをダイクロイックプリズムにより光路を共通にして射出する光源装置を構成し、光源装置からの光束を液晶パネルに照射する仕組みになっている。ここでは、液晶パネルは１枚であり、単板型の構成で色順次表示方式でカラー画像が得られるというものである。低コストの投写型表示装置を実現しようとしたときに、表示パネルが１つで済むということは大きなコストメリットを発生する。また、ダイクロイックプリズムを囲むように光源アレイをコの字型に配列して光束を合成する方法は、光源装置をコンパクトに構成できるので、表示装置全体の小型化に対して大きなメリットである。本出願人の知る限り、コンパクトな構成で３色の光源からの光束を合成する方法として、コの字型に光源を配置することは最も有利である。
【０００５】
ところで、投写型表示装置の光源への発光ダイオード利用に当たってはいくつかの配慮を必要とする。まず、発光ダイオードは、発光効率の面では放電ランプに迫る特性を有するものの、単体の発光光束量は少ないということが上げられる。従来実用化されている投写型表示装置では、例えば１００Ｗの電力で光出力が６０００Ｌｍ（ルーメン）を超える放電ランプが使用されている。これに対して現在最も大きな光束を発する発光ダイオードとして知られているものでも、その光出力は、せいぜい１２０Ｌｍ程度であり、放電ランプの光出力には遠く及ばない。従って光源装置から大出力の光束を得ようとすると、多数の発光ダイオードを使用することが避けられない。１個の発光ダイオードは小さいとはいえ多数使用することは光源の大型化を引き起こし、コンパクト化の要求に反する。
【０００６】
従って、１個の発光ダイオードからの光束をできるだけ効率良く使用することを考える必要がある。あるいは、できるだけ発光ダイオードを密接させて配列させることにより光源装置の大型化を回避すべきである。また、発光ダイオードから発する光束は通常ランダムな偏光成分を有しているということも重要である。すなわち、表示デバイスにＴＮ液晶パネル等を使用する投写型液晶表示装置を構成する場合には、光源装置から射出する光束は直線偏光光であることが望ましく、特許文献１の如き構成をとると、発光ダイオードで発光するランダムな偏光成分の光束のうち約１／２の光束は液晶パネルの照明には利用されないことになり、光利用率の点で好ましくない。
【０００７】
従って、光源アレイとクロスダイクロイックプリズムとの間に偏光変換光学系を設けて、あらかじめ、偏光統一した光束を使用することで光利用効率を高めることが望ましい。例えば、特許文献２に開示されているように、１／２波長板を備えた偏光ビームスプリッタアレイで構成される偏光変換光学系を用いれば、発光ダイオードからのランダム偏光光を効率よく直線偏光光として取り出すことが可能になり、光利用率を高めることができる。
【特許文献１】特許第３３１９４３８号
【特許文献２】特開２００２-２４４２１１
【発明の開示】
【発明が解決しようとする課題】
【０００８】
しかしながら、この特許文献２に開示される構成では、多数個の発光ダイオードを配備したい場合に困難を生じる。なぜなら、１個の発光ダイオードの大きさに対して約２倍の大きさの１／２波長板を備えた偏光ビームスプリッタで構成される偏光変換光学系が対応しているので、発光ダイオード同士の間隔を限度まで接近させることができない。すなわち、多数の発光ダイオードを使用すると光源部が大型化してしまうという問題がある。
【０００９】
光源部がダイクロイックプリズムをコの字型に囲んで配置しているので、光源部の大型化はダイクロイックプリズムの大型化も引き起こし、装置全体の大型化につながる。特に光学ガラスで構成されるクロスダイクイックプリズムの大型化は、コストアップ、重量アップ、非コンパクトと、あらゆる面で好ましくない。
【００１０】
もし、表示パネルが液晶パネルではなくＤＭＤパネルの場合には、照明光として直線偏光光を使用する必要がないので、偏光変換光学系を備える必要がなくなり、特許文献１のような構成としたいところであるが、この場合、ダイクロイックミラーに対して約４５度に光が入射することになる。そうすると、偏光特性の影響が出てしまい光利用率の低下を引き起こす。すなわち、４５度の入射光束に対してＰ偏光成分とＳ偏光成分に対する透過／反射特性を一致させることが原理的にできないためである。従って、特許文献１に示される構成を表示パネルがＤＭＤの場合に応用するには改善の余地が残る。
【００１１】
本発明の目的は、多数の発光ダイオードを光源に使用しても光源の大型化を招くことなしに、光利用率の高い光源装置を提供するものであり、小型・軽量・高輝度・低コストの、特に表示デバイスがＤＭＤのようなランダムな偏光光を利用する投写型表示装置の光源装置とそれを用いた投写型表示装置を提供するものである。
【課題を解決するための手段】
【００１２】
本発明の光源装置は、
第１の色光を発する第１の発光ダイオードと、第２の色光を発する第２の発光ダイオードと、第３の色光を発する第３の発光ダイオードと、第１から第３の色光を合成するための色合成光学系を備えた光源装置である。色合成光学系は、１／４波長板を備えた、異なる波長選択性を有する３種のダイクロイックミラーと、偏光ビームスプリッタとから構成され、３種のダイクロイックミラーが偏光ビームスプリッタの偏光分離面に対して４５度の角度を成す位置にコ型に配置され、第１からの第３の発光ダイオードはダイクロイックミラーのそれぞれに近接して設けられ、第１からの第３の発光ダイオードからの光束が一つの光路に合成されて射出されることを特徴とする。
【００１３】
第１の色光がＲ色、第２の色光がＧ色、第３の色光がＢ色であることが好ましく、１／４波長板は偏光ビームスプリッタに近い側に配置されていることが好ましい。
【００１４】
第１の発光ダイオードと偏光ビームスプリッタとの間に配置されるダイクロイックミラーの特性は、第１の発光ダイオードの色光を透過し、第２および第３の発光ダイオードの色光を反射させる特性を有し、第２の発光ダイオードと偏光ビームスプリッタとの間に配置されるダイクロイックミラーの特性は、第２の発光ダイオードの色光を透過し、第１および第３の発光ダイオードの色光を反射させる特性を有し、第３の発光ダイオードと偏光ビームスプリッタとの間に配置されるダイクロイックミラーの特性は、第３の発光ダイオードの色光を透過し、第１および第２の発光ダイオードの色光を反射させる特性を有していてもよい。
【００１５】
また、偏光ビームスプリッタは、斜辺に誘電多層膜が形成された２個の光学ガラスからなる直角プリズムを張りあわせた構造の偏光ビームスプリッタであってもよく、平板状の偏光ビームスプリッタであってもよい。１／４波長板とダイクロイックミラーとは独立して設けられていてもよく、一体に形成されていてもよい。
【００１６】
本発明の投写型表示装置は、
上述の光源装置を備え、その光源装置からの光束を単一のＤＭＤ表示パネルに照射し、そのＤＭＤ表示パネルで変調される画像を投写レンズにより拡大表示する。
【発明の効果】
【００１７】
本発明によれば、光利用率の高い光源装置を構成できるという効果がある。これは第１から第３の色光を発する発光ダイオードを偏光ビームスプリッタに対してコの字状に配置し、かつ発光ダイオードからのランダムな偏光光のうち、そのほとんどを振動方向が直交するＰ偏光光とＳ偏光光として光源装置から射出させることが可能になるからである。
【００１８】
また、本発明によれば、大出力の光源装置を提供できるという効果がある。これは、発光ダイオードからの光束を偏光統一するための偏光変換手段がないので、多数の発光ダイオードを密接して配置することが可能になるからである。
【００１９】
さらに、本発明の投写型表示装置は表示装置全体としてもコンパクトになるという効果がある。これは、本発明の光源装置と表示パネルとして単一のＤＭＤとを組み合わせて投写型表示装置を構成したので、光源装置が小型となり、表示装置全体もコンパクトになるからである。
【発明を実施するための最良の形態】
【００２０】
本発明の光源装置と投写型表示装置との実施の形態について、図面を参照して説明する。
【００２１】
（第１の実施の形態）
図１は本発明の第１の実施の形態の光源装置の構成を示す模式的平面図であって、光源装置１００は、Ｒ色を発する発光ダイオード（Ｒ）１０１とＧ色を発する発光ダイオード（Ｇ）１０２とＢ色を発する発光ダイオード１０３（Ｂ）とをコの字型に配置し、各々の発光ダイオードの射出側にダイクロイックミラー１０４、１０５、１０６と１／４波長板１０７、１０８、１０９とを備えている。また、各々の発光ダイオード１０１、１０２、１０３の光軸と偏光ビームスプリッタ１１０の偏光分離面１１１とが略４５度の角度になるように偏光ビームスプリッタ１１０が配置されている。
【００２２】
発光ダイオード１０１、１０２、１０３としては、商品として入手可能な砲弾型やチップ型等のごく一般的な発光ダイオードを使用すればよい。図１の平面図においては紙面の都合上４個の発光ダイオードが模式的に描かれているが、発光ダイオードの数は必要に応じて配備すればよく、例えば縦×横のマトリクス上に複数個を平面配置することが可能である。
【００２３】
ダイクロイックミラー１０４、１０５、１０６はガラス基板上に真空蒸着により誘電体多層膜を形成したものを使用した。この種のダイクロイックミラーとしては、投写型液晶表示装置の光学部品に実用化している周知の技術を利用すればよい。１／４波長板１０７、１０８、１０９はフィルムタイプのものをガラス基板に貼り付けた構造のものを使用した。フィルムタイプのほか、水晶等の結晶からなる１／４波長板を利用することも可能である。
【００２４】
偏光ビームスプリッタ１１０は斜辺に誘電体多層膜が形成された２個の光学ガラスからなる直角プリズムを張りあわせたものを使用した。約４５度で偏光分離面に入射した可視光のランダムな偏光光を約１：１の割合でＰ偏光光とＳ偏光光に分離する特性を有する。
【００２５】
次に本発明の光源装置１００の動作について、図２（ａ）、（ｂ）、（ｃ）および図３を用いて説明する。図２は本発明の光源装置の動作を説明する模式的説明図であり、（ａ）は発光ダイオード（Ｒ）１０１から射出された光束の光路を示す模式図、（ｂ）は発光ダイオード（Ｇ）１０２から射出された光束の光路を示す模式図、（ｃ）は発光ダイオード（Ｂ）１０３から射出された光束の光路を示す模式図であり、図３は本発明の光源装置１００のダイクロイックミラーの特性を示す説明図である。ここで各光束は符号を括弧で囲んで表示する。
【００２６】
図２（ａ）に示すように、Ｒ色の色光を発する発光ダイオード（Ｒ）１０１からはランダムな偏光成分の光束が射出する。この光束は、発光ダイオード（Ｒ）１０１の射出位置の直後に配置されているダイクロイックミラー１０４にまず入射する。ダイクロイックミラー１０４には図３の特性（Ｒ）３０１に示すごとくＲの色光を透過し、ＧおよびＢの色光を反射する特性の薄膜が形成されている。従ってＲ色の光束はダイクロイックミラー１０４を透過し、さらに１／４波長板１０７を通過する。このとき、ランダムな偏光光が１／４波長板に入射しても偏光成分はランダムのままである。次に、このランダムな偏光光（２１１）は偏光ビームスプリッタ１１０の偏光分離面１１１に到達し、このとき、Ｐ偏光成分（２１３）は直進し、Ｂ色の発光ダイオード（Ｂ）１０３の方向に進む。Ｓ偏光成分（２１２）は反射されてＧ色の発光ダイオード（Ｇ）１０２の方向へ進行方向を変える。Ｐ偏光成分の光束（２１３）はその後、１／４波長板１０９に達し一旦円偏光光となり、Ｂ色の発光ダイオード（Ｂ）１０３の射出側に配置されるダイクロイックミラー１０６に到達する。ダイクロイックミラー１０６には図３の特性（Ｂ）３０３に示すような、Ｇ色およびＲ色を反射させる特性を有する薄膜が形成されており、Ｒ色の光束（２１３）はダイクロイックミラー１０６で反射されることになり、Ｒ色の発光ダイオード（Ｒ）１０１側に進路を反転する。この進路反転後、直ちに１／４波長板１０９を通過するので、このとき円偏光であった光束はＳ偏光光（２１５）となる。Ｓ偏光光となった光束（２１５）は偏光分離面１１１に達したあと、光源装置１００から光束を射出する方向に反射され光束（２１６）となる。
【００２７】
一方、偏光分離面１１１で反射し、Ｇ色の発光ダイオード（Ｇ）１０２側に進行したＳ偏光光の光束（２１２）は１／４波長板１０８に到達後一旦円偏光光になるものの、Ｇ色を透過し、ＲおよびＢ色を反射させる図３の特性（Ｇ）３０２のダイクロイックミラー１０５により反射される。そして進路を再び偏光分離面１１１側に変更し、１／４波長板１０８を透過し、そこでＰ偏光（２１４）に偏光変換されて、偏光分離面１１１を直進し、光源装置１００から射出される光束（２１７）となる。
【００２８】
このように発光ダイオードから発したＲ色のランダムな偏光光（２１１）はそのほとんどが、Ｐ偏光光（２１７）またはＳ偏光光（２１６）として光源装置１００から射出する光束となるので光利用率の高い光源装置１００を構成できる。
【００２９】
Ｇ色を発する発光ダイオード（Ｇ）１０２からのランダムな偏光光は、以下の経路をたどって光源装置１００から射出される。図２（ｂ）に示すように、まず、Ｇ色を透過し、ＢおよびＲ色を反射する図３の特性（Ｇ）３０２のダイクロイックミラー１０５と、１／４波長板１０８を通過する。そしてランダムな偏光光（２２１）のまま偏光分離面１１１に達する。ここでＰ偏光成分の光束は偏光分離面１１１を直進し、光源装置１００からの射出光（２２２）となる。偏光分離面１１１で反射するＳ偏光の光束２２３はＲ色の発光ダイオード（Ｒ）１０１側の１／４波長板１０７、そしてＲ色を透過してＧおよびＢ色を反射する図３の特性（Ｒ）３０１のダイクロイックミラー１０４に達し、そこで反射され、再び１／４波長板１０７を通過しそこでＰ偏光光の光束として、偏光分離面１１１を通過してＢ色の発光ダイオード（Ｂ）１０３側の１／４波長板１０９を経由してダイクロイックミラー１０６に達する。ダイクロイックミラー１０６はＧ色を反射する図３の特性（Ｂ）３０３を有しており、反射後に１／４波長板１０９でＳ偏光光（２２５）に変換される。そのあと、偏光分離面１１１で反射して光源装置１００の射出光（２２６）となる。
【００３０】
また、Ｂ色を発する発光ダイオード１０３からのランダムな偏光光は、以下の経路をたどって光源装置１００から射出される。図２（ｃ）に示すように、まず、光束（２３１）は、Ｂ色を透過し、ＧおよびＲ色を反射する図３の特性（Ｂ）３０３のダイクロイックミラー１０６、そして１／４波長板１０９を通過し、偏光分離面１１１に達する。ここでＳ偏光成分の光束（２３２）は反射して光源装置１００から射出される。一方、偏光分離面１１１を透過するＰ偏光の光束（２３３）はＲ色の発光ダイオード（Ｒ）１０１側に配置される１／４波長板１０７を通過し、Ｂ色を反射するダイクロイックミラー１０４で反射されて、再び１／４波長板１０７を経てＳ偏光の光束（２３４）として偏光分離面１１１に到達し、ここで反射されて光束（２３５）としてＧ色の発光ダイオード（Ｇ）１０２側に進行する。その後、１／４波長板１０８を通過し、Ｂ色を反射する特性（Ｂ）３０３のダイクロイックミラー１０５で反射され、再び１／４波長板１０８を通ってＰ偏光光に変換され、偏光分離面１１１を透過して光束（２３６）となって光源装置１００から射出される。
【００３１】
このように、Ｒ、Ｇ、Ｂの発光ダイオードの光源をコの字型に配備しても、光源で発生した光束のほとんどを光源装置１００から射出することが可能になるので高効率な光源装置１００を構成できる。また、発光ダイオードの射出後に偏光変換光学系を新たに設ける必要がないので、発光ダイオードを多数使用して、それらをできるだけ近接して配列することが可能になるので、小型で高輝度な光束を出力できる光源装置１００を実現できる。
【００３２】
本発明の光源装置１００は第１の実施の形態以外にも種々の変形が可能である。例えば、第１の実施の形態において、偏光ビームスプリッタ１１０に対してダイクロイックミラー１０４、１０５、１０６そして１／４波長板１０７、１０８、１０９はそれぞれ独立して配置されているが、これらを一体型とすることも可能である。一体型とすることで組み立て性が向上し、取り扱いが容易になる。
【００３３】
さらに別の変形例を図４に示す。図４は本発明の光源装置の第１の実施の形態の変形例の構成を示す模式的平面図である。光源装置４００は、それぞれが複数個で構成されるＲおよびＧおよびＢ色を発する発光ダイオード４０１、４０２、４０３をコの字型に配備して、各発光ダイオードの光軸と偏光分離面が約４５度の角度になるように偏光ビームスプリッタ４１４が配置されている。また、偏光ビームスプリッタ４０４と発光ダイオード４０１、４０２、４０３との間には１／４波長板付ダイクロイックミラー４１１、４１２、４１３が配置されている。第１の実施の形態との違いは、より軽量化と低コストを実現するために偏光ビームスプリッタ４１４に板状のものを使用したことと、ダイクロイックミラーと１／４波長板を一体化した点である。平板状の偏光ビームスプリッタとしては、例えば米国モックステック社のワイヤーグリッド型偏光ビームスプリッタが商品として入手可能である。１／４波長板付ダイクロイックミラー４１１、４１２、４１３はガラス基板上の表面側に誘電体多層膜を蒸着したものを使用し、蒸着膜が形成されていない裏面側にフィルムタイプの１／４波長板を貼り合わせ、誘電体多層膜が形成されている側を発光ダイオード側に向けて配置した。Ｒ、Ｇ、Ｂの各発光ダイオード４０１、４０２、４０３から発した光束が光源装置４００から射出されるに至る経路については、図２を参照した上述の説明と同様なので説明は省略する。
【００３４】
ガラス製の偏光ビームスプリッタに比べて平板状の偏光ビームスプリッタは格段に軽量であるため、光源装置４００の軽量化に大きく寄与する。
【００３５】
なお、これまでの説明において発光ダイオードは砲弾型のレンズと一体化した発光ダイオードを例としたが、発光ダイオードから射出する光束の平行性を高めるためにレンズ系を付加した構成であてもよい。この場合には発光ダイオードとダイクロイックミラーとの間にレンズ系を配備することが好ましい。
【００３６】
（第２の実施の形態）
図５は本発明の第２の実施の形態である、本発明の第１の実施の形態の光源装置を備えた投写型表示装置の一例を示す模式的構成図である。第１の実施の形態で説明した本発明の光源装置１００から射出した光束は、プリズム５０３を介して表示デバイスであるＤＭＤ５０２を照明する。ＤＭＤ５０２で画像変調された光束が投写レンズ５０４によって拡大して投写される構成となっている。ここで光源装置１００からは、例えばＲ→Ｇ→Ｂの色光の繰り返しとなるように発光ダイオード１０１、１０２、１０３の点灯を制御することで色順次表示方式のカラー画像を得ることができる。なお、Ｒ→Ｇ→Ｂといった色光の繰り返しに加えて全色の発光ダイオードを点灯させる時間を設けてＲ→Ｇ→Ｂ→Ｗ（白色）の繰り返しという点灯制御をすればより一層明るい投写画像を得ることもできる。
【図面の簡単な説明】
【００３７】
【図１】本発明の第１の実施の形態の光源装置の構成を示す模式的平面図である。
【図２】本発明の光源装置の動作を説明する模式的説明図である。（ａ）は発光ダイオード（Ｒ）から射出された光束の光路を示す模式図である。（ｂ）は発光ダイオード（Ｇ）から射出された光束の光路を示す模式図である。（ｃ）は発光ダイオード（Ｂ）から射出された光束の光路を示す模式図である。
【図３】本発明の光源装置のダイクロイックミラーの特性を示す説明図である。
【図４】本発明の光源装置の第１の実施の形態の変形例の構成を示す模式的平面図である。
【図５】本発明の第２の実施の形態である、本発明の第１の実施の形態の光源装置を備えた投写型表示装置の一例を示す模式的構成図である。
【符号の説明】
【００３８】
１００、４００    光源装置
１０１、４０１    発光ダイオード（Ｒ）
１０２、４０２    発光ダイオード（Ｇ）
１０３、４０３    発光ダイオード（Ｂ）
１０４、１０５、１０６    ダイクロイックミラー
１０７、１０８、１０９    １／４波長板
１１０、４１４    偏光ビームスプリッタ
１１１    偏光分離面
３０１    特性（Ｒ）
３０２    特性（Ｇ）
３０３    特性（Ｂ）
４０１、４０２、４０３    １／４波長板付ダイクロイックミラー
５００    投射型表示装置
５０２    ＤＭＤ
５０３    プリズム
５０４    投射レンズ
（２１１）〜（２１７）、（２２１）〜（２２６）、（２３１）〜（２３６）    光束
【図１】
2005195780.tif 000003
【図２】
2005195780.tif 000004
【図３】
2005195780.tif 000005
【図４】
2005195780.tif 000006
【図５】
2005195780.tif 000007